(57)【要約】      （修正有）【課題】本発明は、複数の機能を実現することが可能な操作部を有するとともに、短時間で所望の撮影条件を実現することが可能なレンズ装置及びこれを用いた撮像装置を提供する。【解決手段】レンズ装置が、第１の機能を実現することが可能な第１の操作部と、第１の機能とは異なる第２の機能及び第１の機能を実現することが可能な第２の操作部１０４と、第１の操作部と第２の操作部１０４との接続状態を変更することが可能である接続変更部１４０と、を備える。【選択図】図１
2019105814.tif 000002
【特許請求の範囲】
【請求項１】
第１の機能を実現することが可能な第１の操作部と、
前記第１の機能とは異なる第２の機能及び前記第１の機能を実現することが可能な第２の操作部と、
前記第１の操作部と前記第２の操作部との接続状態を変更することが可能である接続変更部と、を備える、
ことを特徴とするレンズ装置。
【請求項２】
前記接続変更部は、
前記第２の操作部に接触可能であるとともに前記第２の操作部から離間可能な接触部を備える、
ことを特徴とする請求項１に記載のレンズ装置。
【請求項３】
前記接触部が前記第２の操作部から離間している状態を前記第１の操作部と前記第２の操作部との接続状態としての未接続状態とし、
前記接触部が前記第２の操作部と接触している状態を前記第１の操作部と前記第２の操作部との接続状態としての当接状態とするとき、
前記レンズ装置は、
前記未接続状態を保持するための第１の保持部と、
前記当接状態を保持するための第２の保持部と、を備える、
ことを特徴とする請求項２に記載のレンズ装置。
【請求項４】
前記第１の保持部及び前記第２の保持部は前記第１の操作部に対して相対的に移動することが可能なように構成されている、
ことを特徴とする請求項３に記載のレンズ装置。
【請求項５】
前記第２の保持部と前記接続変更部との接触面は、前記第１の保持部と前記接続変更部との接触面よりも前記第２の操作部の側に位置している、
ことを特徴とする請求項３または４に記載のレンズ装置。
【請求項６】
前記接続変更部は、
前記接触部が設けられたベース部を備える、
ことを特徴とする請求項２乃至５のいずれか一項に記載のレンズ装置。
【請求項７】
前記接続変更部は、
前記ベース部と前記第２の操作部との間に設けられた第１の弾性部を備える、
ことを特徴とする請求項６に記載のレンズ装置。
【請求項８】
前記接続変更部は、
前記第２の操作部に設けられた被連結部と連結可能な連結部を備える、
ことを特徴とする請求項１乃至７のいずれか一項に記載のレンズ装置。
【請求項９】
前記連結部が前記被連結部と連結している状態を前記第１の操作部と前記第２の操作部との接続状態としての連結状態とするとき、
前記レンズ装置は、
前記連結状態を保持するための第３の保持部を備える、
ことを特徴とする請求項８に記載のレンズ装置。
【請求項１０】
前記第３の保持部は前記第１の操作部に対して相対的に移動することが可能なように構成されている、
ことを特徴とする請求項９に記載のレンズ装置。
【請求項１１】
前記第３の保持部は、
前記第２の操作部との間の距離が互いに異なるとともに前記接続変更部と接触可能な第１の接触面と第２の接触面を備え、
前記第１の接触面と前記第２の接触面のうち前記連結部と接触可能な一方は他方よりも前記第２の操作部の側に設けられている、
ことを特徴とする請求項９または１０に記載のレンズ装置。
【請求項１２】
前記接続変更部は、
前記連結部を前記第１の操作部の側へ付勢するための第２の弾性部を備える、
ことを特徴とする請求項８乃至１１のいずれか一項に記載のレンズ装置。
【請求項１３】
前記接続変更部を操作するための接続操作部をさらに備え、
前記接続操作部の操作に連動して前記第１の操作部と前記第２の操作部との接続状態が変化する、
ことを特徴とする請求項１乃至１２のいずれか一項に記載のレンズ装置。
【請求項１４】
前記第１の操作部と前記第２の操作部との接続状態を検出することが可能な接続検出部をさらに備える、
ことを特徴とする請求項１乃至１３のいずれか一項に記載のレンズ装置。
【請求項１５】
前記レンズ装置は撮像素子を備えるカメラ本体に接続することが可能であって、
前記レンズ装置は前記カメラ本体と通信するためのレンズ側通信部を備え、
前記レンズ側通信部は前記接続検出部による検出結果を前記カメラ本体へ送信する、
ことを特徴とする請求項１４に記載のレンズ装置。
【請求項１６】
前記第１の操作部は前記第１の機能のみを実現可能である、
ことを特徴とする請求項１乃至１５のいずれか一項に記載のレンズ装置。
【請求項１７】
前記第１の操作部の操作範囲を規制するための規制部をさらに備える、
ことを特徴とする請求項１乃至１６のいずれか一項に記載のレンズ装置。
【請求項１８】
前記レンズ装置は、
第１の駆動部と、
前記第１の駆動部によって駆動される第１の被駆動部と、
前記第１の駆動部を制御するための第１の駆動制御部と、
前記第１の操作部が操作された方向及び量を検出するための第１の操作検出部を備え、
前記第１の駆動制御部は前記第１の操作検出部による前記第１の操作部が操作された方向及び量の検出結果に基づいて前記第１の駆動部を制御する、
ことを特徴とする請求項１乃至１７のいずれか一項に記載のレンズ装置。
【請求項１９】
前記レンズ装置は、
第２の駆動部と、
前記第２の駆動部によって駆動される第２の被駆動部と、
前記第２の駆動部を制御するための第２の駆動制御部と、
前記第２の操作部が操作された方向及び量を検出するための第２の操作検出部を備え、
前記第２の駆動制御部は前記第２の操作検出部による前記第２の操作部が操作された方向及び量の検出結果に基づいて前記第２の駆動部を制御する、
ことを特徴とする請求項１乃至１８のいずれか一項に記載のレンズ装置。
【請求項２０】
前記第１の機能は光学ズーム機能であり、
前記第２の機能は、電子ズーム機能、絞り操作機能、ＩＳＯ感度操作機能、フォーカス速度操作機能、ズーム速度操作機能のうちいずれかである、
ことを特徴とする請求項１乃至１９のいずれか一項に記載のレンズ装置。
【請求項２１】
前記接続変更部による前記第１の操作部と前記第２の操作部との接続状態の変更結果に基づいて、前記第２の機能として選択可能な機能が制限される、
ことを特徴とする請求項２０に記載のレンズ装置。
【請求項２２】
前記接続変更部によって前記第１の操作部と前記第２の操作部との接続状態が未接続状態となった場合には、前記第２の操作部は前記光学ズーム機能を実現できず、前記第２の機能は前記電子ズーム機能及び前記光学ズーム機能とは異なる機能に制限される、
ことを特徴とする請求項２１に記載のレンズ装置。
【請求項２３】
前記接続変更部によって前記第１の操作部と前記第２の操作部との接続状態が当接状態となった場合には、前記第２の操作部は前記光学ズーム機能を実現できず、前記第２の機能は前記電子ズーム機能のみに制限される、
ことを特徴とする請求項２１または２２に記載のレンズ装置。
【請求項２４】
前記接続変更部によって前記第１の操作部と前記第２の操作部との接続状態が連結状態となった場合には、前記第２の操作部は前記光学ズーム機能のみを実現可能である、
ことを特徴とする請求項２１乃至２３のいずれか一項に記載のレンズ装置。
【請求項２５】
請求項１乃至２４のいずれか一項に記載のレンズ装置と、
前記レンズ装置を保持することが可能であるとともに、撮像素子を備えるカメラ本体と、を備える、
ことを特徴とする撮像装置。
【請求項２６】
前記撮像装置は、
前記第２の操作部に割り当てる機能を選択するための選択部を備える、
ことを特徴とする請求項２５に記載の撮像装置。
【請求項２７】
前記レンズ装置は、
前記カメラ本体と通信するためのレンズ側通信部と、
前記接続変更部を操作するための接続操作部と、を備え、
前記カメラ本体は、
前記レンズ装置と通信するためのカメラ側通信部と、
表示部と、
前記表示部を制御するための表示制御部と、を備え、
前記レンズ側通信部は前記接続操作部による操作結果を前記カメラ側通信部に送信することが可能であり、
前記表示制御部は、前記カメラ側通信部を介して前記レンズ側通信部から受け取った前記操作結果に基づいて前記表示部を制御する、
ことを特徴とする請求項２６に記載の撮像装置。
【請求項２８】
前記表示制御部は、前記カメラ側通信部を介して前記レンズ側通信部から受け取った前記操作結果に基づいて、前記表示部に、前記第２の操作部に割り当て可能な機能には前記選択部によって選択可能な機能と前記選択部による選択が不可能な機能があることを示す情報を表示させる、
ことを特徴とする請求項２７に記載の撮像装置。
【請求項２９】
前記レンズ装置は、
前記カメラ本体と通信するためのレンズ側通信部と、
前記接続変更部を制御するための接続制御部と、を備え、
前記カメラ本体は、
前記レンズ装置と通信するためのカメラ側通信部を備え、
前記カメラ側通信部は前記選択部による選択結果を前記レンズ側通信部に送信することが可能であり、
前記接続制御部は、前記レンズ側通信部を介して前記カメラ側通信部から受け取った前記選択結果に基づいて前記接続変更部を制御する、
ことを特徴とする請求項２６に記載の撮像装置。
【発明の詳細な説明】
【技術分野】
【０００１】
本発明は、機能を変更可能な操作部を備えたレンズ装置及びこれを備えた撮像装置に関する。
【背景技術】
【０００２】
レンズ鏡筒部分に、フォーカスレンズユニットを駆動させるためのフォーカスリング及びズームレンズユニットを駆動させるためのズームリングに加えて、第３の操作リングが設けられたレンズ装置として、特許文献１に記載のレンズ装置が知られている。特許文献１に記載のレンズ装置に設けられている第３の操作リングには、撮影モードの変更機能や電子ズーム機能などの複数の機能の中から選ばれた機能を割り当てることが可能である。
【先行技術文献】
【特許文献】
【０００３】
【特許文献１】米国特許第８６６５３５８号明細書
【発明の概要】
【発明が解決しようとする課題】
【０００４】
特許文献１に記載のレンズ装置において第３の操作リングに電子ズーム（デジタルズーム）機能が割り当てられ、ユーザーがズーミングを行おうとしている場合を考える。この場合に、ユーザーの求める構図がズームリングの操作による光学ズームでカバーできる焦点距離であるときには、ユーザーは電子ズームではなく光学ズームでユーザーの求める構図を実現しようとする。ここでいうユーザーの求める構図は、ファインダー内あるいは液晶ディスプレイ内に表示されている画像全体における主被写体の大きさと考えてもよい。
【０００５】
しかしながら、ユーザーが誤ってズームリングではなく第３の操作リングを操作してしまうと、ユーザーの意図に反して光学ズームではなく電子ズームが行われてしまって画質が劣化してしまう。意図せずに行われてしまった電子ズームによる倍率変化を解消するためには再び第３の操作リングを操作する必要がある。つまり、第３の操作リングをさらに操作する時間分、ユーザーの求める画質劣化のない構図になるまでにかかる時間が長くなる。
【０００６】
また、第３の操作リングに何の機能も割り当てられていないにも関わらず、ユーザーは第３の操作リングに例えばフォーカシング機能が割り当てられていると思っている場合を考える。この場合に、ユーザーがフォーカシングをしようとして第３の操作リングを操作しても、第３の操作リングには何の機能も割り当てられていないために、ユーザーの意図に反してフォーカシングは行われない。第３の操作リングの操作をしばらく続ければ、第３の操作リングに何の機能も割り当てられていないことにユーザーは気づくことができるが、第３の操作リングの操作をしばらく続ける分、ユーザーの求める合焦状態になるまでにかかる時間が長くなる。
【０００７】
上記のような、割り当てる機能の変更が可能な操作部を有するレンズ装置において、ユーザーの求める撮影条件（構図及び合焦状態）になるまでにかかる時間が長くなってしまうことに対する対策は特許文献１には開示されていない。
【０００８】
そこで本発明は、複数の機能を実現することが可能な操作部を有するとともに、短時間で所望の撮影条件を実現することが可能なレンズ装置及びこれを用いた撮像装置を提供することを目的とする。
【課題を解決するための手段】
【０００９】
上記目的を達成するために、本発明のレンズ装置は、
第１の機能を実現することが可能な第１の操作部と、
前記第１の機能と、前記第１の機能とは異なる第２の機能を実現することが可能な第２の操作部と、
前記第１の操作部と前記第２の操作部との接続状態を変更することが可能である接続変更部と、を備える、
ことを特徴とする。
【発明の効果】
【００１０】
本発明によれば、複数の機能を実現することが可能な操作部を有するとともに、短時間で所望の撮影条件を実現することが可能なレンズ装置及びこれを用いた撮像装置を提供することができる。
【図面の簡単な説明】
【００１１】
【図１】当接状態におけるズームリング１０３の内径部を示す構成図
【図２】第１実施例におけるレンズ装置１００の概略構成を示す構成図
【図３】第１実施例におけるレンズ装置１００とカメラ本体２００のブロック構成を示す構成図
【図４】接続状態切り替えスイッチ１３０を示す構成図
【図５】未接続状態におけるズームリング１０３の内径部を示した構成図
【図６】連結状態におけるズームリング１０３の内径部を示した構成図
【図７】ファンクションリング１０４を光軸方向αから見た部分拡大図
【図８】各接続状態における画面表示図
【図９】回転規制部の構成を示した構成図
【図１０】第２実施例におけるレンズ装置１００とカメラ本体２００のブロック構成を示す構成図
【発明を実施するための形態】
【００１２】
以下に、本発明を実施するための形態を添付の図面を用いて説明する。
【００１３】
〔第１実施例〕
図１から図９を用いて第１実施例に関するレンズ装置１００について説明する。
【００１４】
（レンズ装置１００の構成）
図２はレンズ装置１００の外観図である。図２において１０１は後述するカメラ本体２００と接続するための接続部品であるマウント、１０２はレンズ装置１００の固定部品である固定筒、１０３はズームリングである。ズームリング１０３の回転操作によって、ズームリング１０３と連結した不図示のカム筒が回転する。このカム筒の回転により、ズームレンズ群１１５をズームレンズ群１１５の光軸方向αに動かすことができ、ズーミングが行われる。
【００１５】
１０４はファンクションリングであり、ファンクションリング１０４の回転操作によって、後述する各種駆動装置を駆動する。ファンクションリング１０４は内径部に不図示の矩形波形状を備える。固定筒１０２に設けられた不図示の複数のフォトインタラプタにて矩形波形状に応じて投光および遮光を検知することでファンクションリング１０４の操作量および操作方向を検出する。図３に示す操作検出部１２３は、上記のファンクションリング１０４の内径部に設けられた矩形波形状及び固定筒１０２にフォトインタラプタ（第２の操作検出部）を含んでおり、ファンクションリング１０４の操作量および操作方向を検出可能である。
【００１６】
ファンクションリング１０４には後述の図８に示す複数の操作を割り当てることが可能である。より詳細には、後述の表示部２１３に表示された複数の機能の中からカメラ操作部２１２によって選択された機能をファンクションリング１０４に割り当てることが可能である。つまり、カメラ操作部２１２は、第２の操作部であるファンクションリング１０４に割り当てる機能を選択するための選択部として機能する。
【００１７】
１０５はフォーカスリング１０５であり、フォーカスリング１０５の回転操作によって後述するフォーカス駆動部１２２ａを駆動する。フォーカスリング１０５は内径に不図示の矩形波形状を備える。固定筒１０２に設けられた不図示の複数のフォトインタラプタにて矩形波形状に応じて投光および遮光を検知することでフォーカスリング１０５の操作量および操作方向を検出する。操作検出部１２３は、上記のフォーカスリング１０５の内径部に設けられた矩形波形状及び固定筒１０２に設けられた不図示のフォトインタラプタも含んでいる。
【００１８】
次に、図３を用いてレンズ装置１００のブロック構成について説明する。
【００１９】
１２０はレンズ装置１００全体の制御や通信およびカメラ本体２００との通信やカメラ本体２００に実装された機能の制御を行うレンズＣＰＵである。つまり、レンズＣＰＵ１２０はカメラ本体２００と通信するためのレンズ側通信部である。１２１はレンズ装置１００の各種機能選択や決定や制御および各種機能の操作を行うレンズ操作部である。前述のズームリング１０３、ファンクションリング１０４及びフォーカスリング１０５はレンズ操作部１２１に含まれる。
【００２０】
１２２は各部品を所望の位置に動かす駆動部である。駆動部１２２はフォーカス駆動部１２２ａ、手振れ補正駆動部１２２ｂ、光量調整駆動部１２２ｃを備える。フォーカス駆動部１２２ａはフォーカスレンズ１１１と接続されている。フォーカス駆動部１２２ａはフォーカスリング１０５の操作時の操作量や操作方向に応じてフォーカスレンズ１１１を光軸方向αに動かす。その結果、レンズ装置１００が備える撮影光学系の焦点位置が移動する。
【００２１】
１２２ｂは手振れ補正駆動部である。手振れ補正駆動部１２２ｂは手振れ補正レンズ１１２と接続されている。手振れ補正駆動部１２２ｂはレンズ装置１００の使用時のレンズ装置１００の振れ量に応じて光軸方向αに直交する方向に手振れ補正レンズ１１２を動かし、手振れによるレンズ振れを補正する。
【００２２】
１２２ｃは光量調整駆動部である。光量調整駆動部１２２ｃは光量調節羽根１１３と接続されている。光量調整駆動部１２２ｃはカメラ装置２００のカメラ操作部２１２の操作やファンクションリング１０４の操作に応じて光量調節羽根１１３を動かす。光量調節羽根１１３を動かすことでレンズ装置１００を介してカメラ装置２００の不図示の撮像素子へ入射する光量を調節することができる。
【００２３】
後述のように、ファンクションリング１０４には絞り値を変更する絞り操作機能を割り当てることが可能である。第２の操作部であるファンクションリング１０４に絞り操作機能が割り当てられている場合、光量調整駆動部１２２ｃは第２の駆動部として機能し、光量調整羽根１１３は第２の駆動部によって駆動される第２の被駆動部となる。そして、レンズＣＰＵ１２０は操作検出部１２３による検出結果に基づいて第２の駆動部である光量調整部１２２ｃを制御する。
【００２４】
（カメラ本体２００の構成）
次に、図３を用いたカメラ本体２００のブロック構成について説明する。
【００２５】
２０１は前述のマウント１０１と接続するためのカメラ本体２００側の接続部品であるカメラマウントである。２１０はカメラ本体２００全体の制御や通信およびレンズ装置１００の制御や通信を行うカメラＣＰＵである。つまり、カメラＣＰＵ２１０はレンズ装置と通信するためのカメラ側通信部として機能する。
【００２６】
２１１はカメラ本体２００を通電させるための電源のＯＮとＯＦＦを操作するカメラ側主電源である。２１２はカメラ本体２００の各種機能選択や決定、取消およびレリーズ等の操作、ファンクションリング１０４に割り当てる機能の選択を行うカメラ操作部である。カメラ操作部２１２はボタンとダイヤルなど複数の操作部を備えていてもよい。２１３はカメラ本体２００の各種設定や撮影画像を表示する表示部である。２１４はカメラ本体２００の各種設定や撮影画像を記憶する記憶部である。２１５はレンズ装置１００が備える撮影光学系からの光を受光する撮像素子である。ここでいう撮影光学系とは前述のズームレンズ１１５、フォーカスレンズ１１１を含む結像光学系のことである。
【００２７】
本実施例においてカメラ本体２００はカメラマウント２０１を介してレンズ装置１００のマウント１０１と接続される。より詳細にはレンズ装置１００はカメラ本体２００に対して着脱可能である。しかしながら、レンズ装置１００はカメラ本体２００から取り外せない構成であってもよい。
【００２８】
（接続変更部の構成）
次に、図１及び図４から図７を用いて本実施例における接続変更部１４０の構成について説明する。ここでいう接続変更部１４０は、ズームリング（第１の操作部）１０３とファンクションリング（第２の操作部）１０４との接続状態を変更することが可能である。
【００２９】
図１はズームリング１０３の内径部の構造を示している。より詳細には、図１は後述する第２の接続状態である当接状態における接続変更部１４０の構成を示している。
【００３０】
１３０ａは接続状態切り替えスイッチ（接続操作部）１３０（以後、スイッチ１３０）と一体的に構成された未接続状態保持部である。スイッチ１３０は、スイッチ１３０を保持する部材を介してズームリング１０３に保持されており、ズームリング１０３の回転に合わせてスイッチ１３０も回転する。図４に示すように、スイッチ１３０はズームリング１０３の外周部にユーザーが操作可能なように配置されている。また、スイッチ１３０は図４中の「１」で示す目盛りと揃った位置に位置する第１の状態、「２」で示す目盛りと揃った位置に位置する第２の状態、「３」で示す目盛りと揃った位置に位置する第３の状態になることができる。
【００３１】
つまり、スイッチ１３０はズームリング１０３に対して相対的に移動可能である。ユーザーがスイッチ１３０を操作する際にはズームリング１０３の回転は規制されていることが好ましい。このため、ユーザーがスイッチ１３０を操作する際にズームリング１０３の回転を規制するための回転規制部がレンズ装置１００に設けられていてもよい。回転規制部がレンズ装置１００に設けられていない場合には、ユーザーがカメラ本体２００を握る右手の指先でズームリング１０３を押えてもよい。レンズ装置１００がカメラ本体２００に取り付けられていない場合には、片手でレンズ装置１００を持ちながらズームリング１０３の回転を押え、残りの手でスイッチ１３０を操作すればよい。
【００３２】
なお、未接続状態保持部１３０ａはファンクションリング１０４とズームリング１０３との接続状態を第１の状態である未接続状態とするためのものである。そして、１３０ｂはスイッチ１３０と一体的に構成された当接状態保持部である。当接状態保持部１３０ｂはファンクションリング１０４とズームリング１０３との接続状態を第２の状態である当接状態とするためのものである。そして、１３０ｃはスイッチ１３０と一体的に構成された連結状態保持部である。連結状態保持部１３０ｃはファンクションリング１０４とズームリング１０３との接続状態を第３の状態である連結状態とするためのものである。
【００３３】
１４０はズームリング１０３とファンクションリング１０４との接続状態を変更するための接続変更部である。より詳細には接続変更部１４０はベース部１４１、弾性部１４２、ベーススプリング１４３、連結ピン１４４、バネ部材１４５、接点ブラシ１４６、フレキシブルプリント基板（以後、ＦＰＣ）１５６を備えている。
【００３４】
ベース部１４１は弾性部１４２、接点ピン１４４、バネ部材１４５及び接点ブラシ１４６を保持している。ベース部１４１はズームリング１０３に保持されており、ズームリング１０３に対して光軸方向αと平行な方向に相対的に移動可能に構成されている。弾性部１４２はベース部１４１に設けられ、弾性材料によって構成されている円筒形状のゴム部材である。ベーススプリング（第１の弾性部）１４３はベース部１４１とファンクションリング１０４との間に設けられ、ファンクションリング１０４からベース部１４１を離間する方向に力をかけるためのコイル状つまり円筒状のバネ部材である。
【００３５】
連結ピン１４４はベース部１４１に対して光軸方向αと平行な方向に相対的に移動可能に保持され、図７に示すファンクションリング１０４の連結凹部（被連結部）１０４ｂと連結可能な連結部である。図７はファンクションリング１０４を光軸方向αから見た部分拡大図である。ファンクションリング１０４は連結平面部１０４ａと連結凹部１０４ｂを有する。連結平面部１０４ａは連結凹部１０４ｂの内径側及び外径側にあり、第２の状態の時にズームリング１０３の弾性部１４２と当接する。連結凹部１０４ｂは図視奥行方向に三角波形状を有し、三角波形状は等間隔に全周に配置される。連結ピン１４４は先端が三角形の凸形状であり、ラックピニオンのように三角波形状の連結凹部１０４ｂと噛み合う。
【００３６】
ピンスプリング（第２の弾性部）１４５は連結ピン１４４とベース部１４１の間に配置され、連結ピン１４４をベース部１４１から離間する方向（ズームリング１０３側）に力をかけるためのコイル状つまり円筒状のバネ部材である。
【００３７】
接点ブラシ１４６はＦＰＣ１５６と接し、接続変更部１４０がどの接続状態かを導通状態で判別することができる。接点ブラシ１４６は３つの導通する接点としてブラシ接点ａ１４６ａ、ブラシ接点ｂ１４６ｂ、ブラシ接点ｃ１４６ｃを有している。ＦＰＣ１５６は固定筒１０２に保持されている。ＦＰＣ１５６は３つの導通部としてＦＰＣ接点ａ１５６ａ、ＦＰＣ接点ｂ１５６ｂ、ＦＰＣ接点ｃ１５６ｃを有し、レンズＣＰＵ１２０と接続される。接点ブラシ１４６の３つの接点とＦＰＣ１５６の３つの導通部の導通状態が、ズームリング１０３とファンクションリング１０４の接続状態ごとに異なることで各接続状態を検知する。本実施例においてはレンズＣＰＵ１２０が上記の導通状態からズームリング１０３とファンクションリング１０４との接続状態を検出する接続検出部であるが、レンズＣＰＵ１２０以外に接続検出部を設けてもよい。レンズＣＰＵ１２０は上記の接続状態の検出結果をカメラ本体２００に通信するレンズ側通信部としての機能も有している。
【００３８】
（各接続状態における表示構成）
次に図８を用いてズームリング１０３およびファンクションリング１０４の各接続状態におけるカメラ本体２００における表示部２１３の表示構成を説明する。
【００３９】
図８はカメラ本体２００の表示部２１３に表示されるズームリング１０３およびファンクションリング１０４の接続状態に応じた画面表示図である。図８（ａ）に示す２１３ａは第１の接続状態である未接続状態での表示部２１３であり、図８（ｂ）に示す２１３ｂは第２の接続状態である当接状態での表示部２１３であり、図８（ｃ）に示す２１３ｃは第３の接続状態である連結状態での表示部２１３である。
【００４０】
未接続状態の表示部２１３ａと当接状態の表示部２１３ｂと連結状態の表示部２１３ｃにおいて、ハイフンを重ねている以外の文字で表示されている項目はファンクションリング１０４で操作可能な設定項目を示している。ハイフンを重ねて表示されている項目はファンクションリング１０４で操作ができない設定項目を示している。ハイフンで重ねた表示はグレーアウト表示など、ユーザーが操作可能か不可能かを判別できる表示に置き換えてもよい。
【００４１】
図８に示すように、ファンクションリング１０４には、第２の機能として、電子ズーム機能、絞り操作機能、ＩＳＯ感度操作機能、フォーカス速度操作機能のうちいずれかを割り当てることが可能である。さらにファンクションリング１０４はズームリング１０３が実現可能な第１の機能としての光学ズーム機能を実現することが可能である。
【００４２】
図８に示す各操作の意味は次の通りである。絞り操作は光量調整駆動部１２２ｃを介して光量調節羽根１１３を動かすことでレンズ装置１００を介してカメラ装置２００の不図示の撮像素子へ入射する光量を調節する操作のことである。電子ズームはカメラ本体２００に設けられた撮像素子２１５で撮像された画像を拡大する操作のことである。撮像された画像を引き延ばすため画素が荒くなる。
【００４３】
ＩＳＯ感度操作は撮像素子２１５の撮像感度を変更する操作のことである。フォーカス速度操作はフォーカスリング１０５の操作に応じたフォーカス駆動部１２２ａの駆動速度を変更することで、フォーカスレンズ１１１の移動スピードを変更する操作のことである。光学ズームとはズームリング１０３の回転操作によって、ズームリング１０３と連結した不図示のカムリングを回転し、不図示のカムリングに保持されたズームレンズ群１１５を光軸方向に動かす操作のことである。ズームレンズ群１１５が動くことでレンズ装置１００が備える撮影光学系の焦点距離が変わる。
【００４４】
ファンクションリング１０４には上記の各操作を割り当てることが可能である。そして、カメラＣＰＵ２１０は前述のスイッチ１３０による操作結果をレンズＣＰＵ１２０から受け取り、この情報に基づいて表示部２１３を制御する表示制御部としても機能する。より詳細には、表示制御部としてのカメラＣＰＵ２１０は、表示部２１３に、ファンクションリング１０４に割り当て可能な機能には、カメラ操作部２１２で選択可能な機能と選択不可能な機能があることを示す情報を表示させる。
【００４５】
（ズームリング１０３の回転規制構成）
次に図９を用いてズームリング１０３の回転を固定筒１０２で規制する回転規制の構成を説明する。
【００４６】
図９はズームリング１０３の回転を固定筒１０２で規制する回転規制の構成を示した図である。１０３ａはズームリング１０３に対して一体的に構成されており、光軸方向αに平行で固定筒１０２に向かう方向に延びる回転規制コマである。１０２ａは固定筒１０２の一部であり、ズームリング１０３のズーム操作による広角側の操作可能範囲を規制する広角メカ端である。１０２ｂは固定筒１０２の一部であり、ズームリング１０３のズーム操作による望遠側の操作可能範囲を規制する望遠メカ端である。これらの回転規制コマ１０３ａ、広角メカ端１０２ａ、望遠メカ端１０２ｂがズームリング１０３の操作範囲を規制するための規制部として機能する。
【００４７】
ズームリング１０３が回転すると、ズームリング１０３と一体的に構成された回転規制コマ１０３ａも回転し、図９に示す通り広角メカ端１０２ａと望遠メカ端１０２ｂに当接するまで回転可能である。広角メカ端１０２ａと望遠メカ端１０２ｂに当接すると回転操作が不可となる。上記の構成により、ズームリング１０３の最大回転量及び回転可能な範囲が広角メカ端１０２ａと望遠メカ端１０２ｂによって決まる。
【００４８】
（各接続状態において得られる効果）
次に図１及び図４から図６を用いて、接続変更部１４０が第１の接続状態である未接続状態であるとき、第２の接続状態である当接状態であるとき、第３の接続状態である接続状態であるときについて説明する。
【００４９】
（未接続状態において得られる効果）
図４に示したスイッチ１３０が「１」の目盛りの位置に合うようにユーザーがスイッチ１３０を操作すると、ユーザーのスイッチ１３０の操作に連動して接続変更部１４０は図５に示す第１の接続状態である未接続状態となる。
【００５０】
図５に示すように、未接続状態においては、スイッチ１３０と一体的に構成された未接続状態保持部（第１の保持部）１３０ａが、弾性部１４２及び連結ピン１４４がファンクションリング１０４と接触しないようにベース部１４１と当接する。より詳細には、弾性部１４２及び連結ピン１４４がファンクションリング１０４と接触せず、かつ、後述の連結状態と比較してベーススプリング１４３が長く、ピンスプリング１４５も長くなっている。ここでいうスプリングが長いとは自然長からの変形量が少ないと考えてもよい。
【００５１】
未接続状態では、ベーススプリング１４３の付勢力がベース部１４１を未接続状態保持部１３０ａに向かって押し付ける方向に働いている。また、未接続状態では、ベーススプリング１４３とファンクションリング１０４が当接しているため、ファンクションリング１０４を操作する際にはベーススプリング１４３との間に摩擦が発生する。この時、摩擦が発生する箇所はベーススプリング１４３とファンクションリングの連結平面部１０４ａと線接触状態となる。この時に働く摩擦よりもズームリング１０３を操作する操作トルクの方が大きい設計にしておくことで、ファンクションリング１０４の操作時にズームリング１０３が連れまわってしまうことを抑制することができる。
【００５２】
未接続状態では、ブラシ接点１４６ｂとＦＰＣ接点１５６ａが当接し、ブラシ接点１４６ｃとＦＰＣ接点１５６ｂが当接した状態（ｂａｃｂ状態）となる。カメラ装置２００のカメラ側主電源２１１がＯＮのときにカメラＣＰＵ２１０はレンズＣＰＵ１２０からの情報を基に接点ブラシ１４６とＦＰＣ１５６との接続状態がどのようになっているかを知ることができる。接点ブラシ１４６とＦＰＣ１５６との接続状態が上記のｂａｃｂ状態である場合には、カメラＣＰＵ２１０は図８の２１３ａとして示した情報を表示するように表示部２１３に指示を出す。
【００５３】
図８の２１３ａとして示すように、未接続状態では、ファンクションリング１０４は光学ズーム機能を実現することができない。そして、ファンクションリング１０４に割り当て可能な第２の機能は電子ズーム機能と光学ズーム機能とは異なる機能に制限される。
【００５４】
より詳細には、図８中の２１３ａに示す未接続状態における表示部２１３には、ファンクションリング１０４には絞り操作、ＩＳＯ感動操作、フォーカス速度操作のいずれかを割り当て可能であることを示す情報が表示される。同時に、ファンクションリング１０４には電子ズーム、光学ズームを割り当てることができないことを示す情報が表示される。未接続状態においてはファンクションリング１０４とズームリング１０３は互いに独立して回転することが可能となっている。このような未接続状態においてファンクションリング１０４にはズームリング１０３と関係のない操作だけを割り当て可能とすることで、ユーザーは少し手を動かすだけでズーム操作（光学ズーム及び電子ズーム）とは別の操作を行うことができるようになる。
【００５５】
仮に、未接続状態においてファンクションリング１０４に電子ズーム機能を割り当て可能としてしまうと、ファンクションリング１０４でもズームリング１０３でもズーミングができることになる。その結果、ユーザーの意図に反して電子ズームが行われてしまって撮影画質が劣化してしまうおそれがある。より詳細には、例えばズームリング１０３で操作可能な焦点距離の範囲が２０ｍｍから１００ｍｍであり、現在の焦点距離が５０ｍｍだとする。このときにユーザーがファンクションリング１０４を操作して電子ズームをすると、本来であればまだ光学ズームが可能であるにも関わらず、焦点距離５０ｍｍでの画像を拡大することになるので、画質が低下してしまう。
【００５６】
なお、図９に示すように回転規制コマ１０３ａが望遠メカ端１０２ａに接触した状態において、ファンクションリング１０４に電子ズーム機能を割り当てることができるようにしてもよい。このように設定することで上記のように光学ズームが可能であるにも関わらず、電子ズームが行われてしまうことを防ぎつつ、光学ズームと電子ズームを適切に使い分けることができるようになる。
【００５７】
（当接状態において得られる効果）
図４に示したスイッチ１３０が「２」の目盛りの位置に合うようにユーザーがスイッチ１３０を操作すると、ユーザーのスイッチ１３０の操作に連動して接続変更部１４０は図１に示す第２の接続状態である当接状態となる。
【００５８】
図１に示すように、当接状態においては、スイッチ１３０と一体的に構成された当接状態保持部（第２の保持部）１３０ｂが、弾性部１４２及び連結ピン１４４のうち弾性部１４２のみがファンクションリング１０４と接触するようにベース部１４１と当接する。図１と図５とを比較すれば分かるように、当接状態保持部１３０ｂと接続変更部１４０との接触面は、未設状態保持部１３０ａと接続変更部１４０との接触面よりもファンクションリング１０４側に位置している。このため、未接続状態ではファンクションリングから離間していた弾性部１４２が当接状態においてはファンクションリング１０４と接触する。
【００５９】
より詳細には、弾性部１４２及び連結ピン１４４のうち弾性部１４２のみがファンクションリング１０４と接触し、かつ、後述の連結状態と比較してピンスプリング１４５が長くなっている。つまり、弾性部１４２は、ファンクションリング１０４に接触可能であるとともに、前述のようにファンクションリング１０４から離間可能な接触部である。
【００６０】
図１に示すように、接続状態保持部１３０ｂのベース部１４１との当接面は、未接続状態保持部１３０ａのベース部１４１との当接面よりもファンクションリング１０４に近い。このため、当接状態においては、前述の未接続状態と比較してベース部１４１とファンクションリング１０４間の間隔が狭くなり、ベーススプリング１４３が短くなる。この結果、当接状態においては未接続状態と比較してベーススプリング１４３の付勢力が強くなる。なお、ピンスプリング１４５の付勢力が連結ピン１４４にファンクションリング１０４から離れる方向に働くため連結ピン１４４はファンクションリング１０４から離間した状態となる。
【００６１】
当接状態では、ブラシ接点１４６ａとＦＰＣ接点１５６ａが当接し、ブラシ接点１４６ｂとＦＰＣ接点１５６ｂが当接し、ブラシ接点１４６ｃとＦＰＣ接点１５６ｃが当接した状態（ａａｂｂｃｃ状態）となる。接点ブラシ１４６とＦＰＣ１５６との接続状態が上記のａａｂｂｃｃ状態である場合には、カメラＣＰＵ２１０は図８の２１３ｂとして示した情報を表示するように表示部２１３に指示を出す。
【００６２】
図８の２１３ｂとして示すように、当接状態では、ファンクションリング１０４は光学ズーム機能を実現することができない。そして、ファンクションリング１０４に割り当て可能な第２の機能は電子ズーム機能のみに制限される。
【００６３】
より詳細には、図８中の２１３ｂに示す当接状態における表示部２１３には、ファンクションリング１０４には電子ズームを割り当て可能であることを示す情報が表示される。同時に、ファンクションリング１０４には絞り操作、ＩＳＯ感度操作、フォーカス速度操作、光学ズームを割り当てることができないことを示す情報が表示される。
【００６４】
当接状態では前述のように弾性部１４２がファンクションリング１０４に当接している。弾性部１４２はゴム部材であるために弾性部１４２とファンクションリング１０４との間には摩擦力が発生している。この摩擦力はズームリング１０３の操作トルクよりも大きく設定されており、弾性部１４２はズームリング１０３と一体的に回転可能となっている。
【００６５】
このため、ユーザーがファンクションリング１０４を回転させると、ズームリング１０３はファンクションリング１０４に連れまわる。つまり、当接状態においてはファンクションリング１０４を回転させればズームリング１０３も回転させることができる。当接状態で、かつ、図９に示すように回転規制コマ１０３ａが望遠メカ端１０２ａに接触した状態において、ファンクションリング１０４をさらに望遠側に回転させる場合を考える。レンズ装置１００にはファンクションリング１０４用の回転規制部が設けられていない。このため、図９に示すようにズームリング１０３の回転が規制された状態でファンクションリング１０４を回転させると、ズームリング１０３の回転は規制されたまま、ファンクションリング１０４はさらに回転することができる。
【００６６】
レンズ装置１００にはズームリング１０３の回転が規制されているか、より詳細には、回転規制コマ１０３ａが望遠メカ端１０２ｂあるいは広角メカ端１０２ａに接触しているかどうかを検出可能な端検出部が設けられている。この端検出部によってズームリング１０３の回転が望遠側に規制されていることを検出した状態でファンクションリング１０４を回転させると光学ズームから電子ズームへスムーズに切り替わるようになっている。
【００６７】
つまり、当接状態においては、ユーザーはファンクションリング１０４に電子ズーム機能を割り当てれば、ファンクションリング１０４を回転させるだけで、光学ズームと電子ズームを適切にかつスムーズに使い分けることができる。より詳細には、光学ズームでカバー可能な焦点距離の範囲においては画質劣化の生じる電子ズームではなく光学ズームが行われる。そして、光学ズームでカバーできない範囲においては光学ズームから電子ズームへの切り替えが、設定変更や別の操作リングを操作するなどの行為をしなくても可能となっている。なお、端検出部は、回転規制コマ１０３ａと望遠メカ端１０２ｂあるいは広角メカ端１０２ａ間の距離が所定値以下になったかどうかを検出してもよい。また、光学ズームから電子ズームへの切り替えの際にはズームリング１０３の回転規制がメカ的に行われてファンクションリング１０４の操作トルクが変わる。このため、装置側に特に通知を行わなくても、ユーザーは光学ズームから電子ズームに切り替わったことを感覚的に把握することができる。
【００６８】
（連結状態において得られる効果）
図４に示したスイッチ１３０が「３」の目盛りの位置に合うようにユーザーがスイッチ１３０を操作すると、ユーザーのスイッチ１３０の操作に連動して接続変更部１４０は図６に示す第３の接続状態である連結状態となる。
【００６９】
図６に示すように、連結状態においては、スイッチ１３０と一体的に構成された連結状態保持部（第３の保持部）１３０ｃが、弾性部１４２及び連結ピン１４４がファンクションリング１０４と接触するように連結ピン１４４と当接する。より詳細には、連結ピン１４４が連結凹部１０４ｂと係合するように、連結状態保持部１３０ｃの一部が連結ピン１４４と当接する。そして、前述の当接状態と同様に弾性部１４２が連結平面部１０４ａに接触するように当接状態保持部１３０ｂと同じ位置にある連結状態保持部１３０ｃの一部がベース部１４１に当接する。
【００７０】
言い換えれば、連結状態保持部１３０ｃは、ファンクションリング１０４との間の距離が互いに異なるとともに接触変更部１４０と接触可能な第１の接触面と第２の接触面を備える。そして、これらの接触面のうち連結ピン１４４と接触可能な一方は他方よりもファンクションリング１０４側に設けられている。本実施例においては、前述の連結ピン１４４と当接する連結状態保持部１３０ｃの一部が第１の接触面を有し、ベース部１４１に当接する連結状態保持部１３０ｃの一部が第２の接触面を有している。そして、第１の接触面は第２の接触面よりもファンクションリング１０４側に設けられている。
【００７１】
この結果、ベーススプリング１４３及びピンスプリング１４５は前述の未接続状態と比較して短くなっている。
【００７２】
図６に示すように、ベース部１４１と当接する連結状態保持部１３０ｃの一部は、ファンクションリング１０４からの距離が当接状態保持部１３０ｂと同じである。このため、連結状態保持部１３０ｃの一部とベース部１４１との当接面は、未接続状態保持部１３０ａのベース部１４１との当接面よりもファンクションリング１０４に近くなる。この結果、連結状態においては、前述の未接続状態と比較してベース部１４１とファンクションリング１０４間の間隔が狭くなり、ベーススプリング１４３が短くなる。そして、未接続状態と比較してベーススプリング１４３の付勢力が強くなるが、弾性部１４２はファンクションリング１０４に接触し続ける。
【００７３】
また、連結状態保持部１３０ｃの一部は当接状態保持部１３０ｂよりもファンクションリング１０４に近い側に連結ピン１４４との当接面を有する。このため、連結状態においては当接状態と比較して連結ピン１４４がよりファンクションリング１０４に近づき、前述のように連結ピン１４４と連結凹部１０４ｂが係合する。その結果、ピンスプリング１４５の付勢力が当接状態と比較して強くなるが、連結ピン１４４と連結凹部１０４ｂの係合は維持される。
【００７４】
前述のように連結凹部１０４ｂは三角波形状をしており、図１及び図５に示すように、連結ピン１４４の先端も三角波形状になっている。このため、連結ピン１４４の先端と連結凹部１０４ｂの相対位置がずれた状態であっても連結ピン１４４の先端が連結凹部１０４ｂの形状に沿って移動することで、連結ピン１４４と連結凹部１０４ｂは正しく係合することができる。また、連結ピン１４４の先端が連結凹部１０４ｂの形状に沿って移動するために、スイッチ１３０の操作の際に余計な抵抗が生じにくい。さらに、連結ピン１４４は弾性を有する樹脂部材であるために、連結状態ではファンクションリング１０４を回転させた際にクリック感を生じさせることができる。
【００７５】
連結状態では、ブラシ接点１４６ａとＦＰＣ接点１５６ｂが当接し、ブラシ接点１４６ｂとＦＰＣ接点１５６ｃが当接した状態（ａｂｂｃ状態）となる。接点ブラシ１４６とＦＰＣ１５６との接続状態が上記のａｂｂｃ状態である場合には、カメラＣＰＵ２１０は図８の２１３ｃとして示した情報を表示するように表示部２１３に指示を出す。
【００７６】
図８の２１３ｃとして示すように、連結状態では、ファンクションリング１０４は光学ズーム機能のみを実現可能である。
【００７７】
より詳細には、図８中の２１３ｃに示す連結状態における表示部２１３には、ファンクションリング１０４がズームリング１０３と同様に光学ズーム用の操作部であることを示す情報が表示される。同時に、ファンクションリング１０４には絞り操作、電子ズーム、ＩＳＯ感度操作、フォーカス速度操作の機能を割り当てることができないことを示す情報が表示される。
【００７８】
前述のように、連結状態ではファンクションリング１０４とズームリング１０３が連結ピン１４４と連結凹部１０４ｂとの係合によって連結している。言い換えれば、連結状態ではファンクションリング１０４とズームリング１０３が一体的に構成されていることになる。つまり、ファンクションリング１０４を回転させると、それに連動してズームリング１０３も回転する。言い換えれば、ファンクションリング１０４でズームリング１０３を操作することができる。
【００７９】
ファンクションリング１０４に何の機能も割り当てられていない場合に、連結状態であればファンクションリング１０４を回転させるとズームリング１０３が回転するためにファンクションリング１０４の操作が無駄になることがない。ファンクションリング１０４に何の機能も割り当てられていない場合に連結状態でなかったとすると、操作しても何の作用も無いにも関わらず、ユーザーがファンクションリング１０４を操作してしまう可能性がある。この場合にはユーザーによるファンクションリング１０４の操作が無駄になってしまう。あるいは、ファンクションリング１０４に何等かの機能が割り当てられているであろうと思い込んでいるユーザーが実は何の機能も割り当てられていなかったことに気付くまでの時間が伸びてしまう。ファンクションリング１０４を何度か回転させれば、ファンクションリング１０４に何の機能も割り当てられていないことに気付くことができるが、それまでに時間がかかってしまう。
【００８０】
また、連結状態においては、ズームリング１０３の回転が規制されるとファンクションリング１０４の回転も規制されることになる。このため、連結状態ではファンクションリング１０４を余分に操作してしまうことを抑制することができる。さらに、連結状態であれば、例えばズームリング１０３を操作しようとしたユーザーが誤ってファンクションリング１０４を操作してしまったとしても、結果的にはズームリング１０３が回転することになる。つまり、連結状態であればユーザーの誤操作の発生を抑制することもできる。
【００８１】
（本実施例において得られる効果）
上記のように、本実施例におけるレンズ装置１００は、第１の機能（光学ズーム）を実現することが可能な第１の操作部としてズームリング１０３を有する。さらに、レンズ装置１００は第１の機能に加えて第１の機能とは異なる第２の機能（電子ズームなど）を実現することが可能な第２の操作部としてファンクションリング１０４を有する。言い換えれば、ファンクションリング１０４は複数の機能を実現することが可能な操作部である。そして、レンズ装置１００はズームリング１０３とファンクションリング１０４との接続状態を変更することが可能な接続変更部１４０を有する。
【００８２】
レンズ装置１００は接続変更部１４０を備えることによって、様々な場面において短時間でユーザーが求める所望の撮影条件を実現することができる。
【００８３】
より詳細には、未接続状態においてはファンクションリング１０４とズームリング１０３の機能を異ならせている。言い換えれば、絞り値やＩＳＯ感度などの焦点距離とは別の光学的パラメータの調整機能だけをファンクションリング１０４に割り当て可能としている。このため、ズームリング１０３による焦点距離変更の直後に焦点距離とは別の光学的パラメータの調整を行うことができる。つまり、短時間で光学的パラメータの調整を終えてユーザーが求める所望の撮影条件を実現することができる。
【００８４】
また、当接状態においてはユーザーが望まない電子ズームによる画質劣化の発生と、意図しない電子ズームによる倍率変化をキャンセルするためのユーザーによる操作を不要とすることができる。つまり、不要な操作の発生を抑制して、短時間でユーザーが求める所望の撮影条件を実現することができる。
【００８５】
また、連結状態においてはファンクションリング１０４に何の機能も割り当てられていない場合に、何の光学的パラメータも変化しない不要な操作の発生を抑制することができる。つまり、不要な操作による余計な時間の発生を抑制して短時間でユーザーが求める所望の撮影条件を実現することができる。
【００８６】
〔第２実施例〕
図１０を用いて第２実施例におけるレンズ装置１００の構成について説明する。前述の第１実施例においてはズームリング１０３がメカリングであり、ズームリング１０３を回転させると図３には不図示のカム筒が直接回転する。これに対して本実施例においてはズームリング１０３が電子リングであり、ズームリング１０３の回転量に応じてズーム駆動部１２２ｄがカムリング１１４を回転させてズームレンズ群１１５が移動する。
【００８７】
より具体的には、本実施例におけるズームリング１０３は内径部に不図示の矩形波形状を備えている。そして、固定筒１０２に設けられた不図示の複数のフォトインタラプタにて矩形波形状に応じた投光および遮光を検知することでズームリング１０３の操作量および操作方向を検出することができる。図１０に示す操作検出部１２３はズームリング１０３の内径部に設けられた矩形波形状及び固定筒１０２に設けられたフォトインタラプタ（第１の操作検出部）を含んでおり、ズームリング１０３の操作方向及び操作量を検出可能である。操作検出部１２３はファンクションリング１０４の操作方向及び操作量も検出可能である。
【００８８】
図１０に示すように、駆動部１２２は前述の第１実施例で説明したフォーカス駆動部１２２ａ、手振れ補正駆動部１２２ｂ、光量調整駆動部１２２ｃに加えてズーム駆動部（第１の駆動部）１２２ｄを備える。カムリング１１４は回転動作によってズームレンズ群１１５を光軸方向に移動し、任意の焦点距離に変倍するためのものである。ズームレンズ群１１５はカムリング１１４に保持部品によって保持された複数のズームレンズレンズユニットを備えている。ズームレンズ群１１５はカムリング１１４に配置される不図示のカム溝に沿ってカムリング１１４の回転に応じて位置が決まる。
【００８９】
ズーム駆動部１２２ｄはカムリング１１４と接続されるとともに、ズーム駆動部１２２ｄの駆動によりカムリング１１４を回転する。ズーム駆動部１２２ｄはギアがついたモータで、固定筒１０２に固定され、ズーム駆動部１２２ｄの不図示のギアとカムリング１１４の不図示のギアが噛み合うことでカムリング１１４を回転する。ズームリング１０３の操作時の操作量や操作方向に応じてズーム駆動部１２２ｄを駆動しカムリング１１４を光軸方向に動かしレンズ装置１００の焦点位置が移動する。つまり、ズーム駆動部１２２ｄを第１の駆動部とするとき、ズームレンズ群１１５はカムリング１１４を介して第１の駆動部によって駆動させる第１の被駆動部である。カムリング１１４を第１の駆動部と解釈してもよい。そして、レンズＣＰＵ１２０は操作検出部１２３による検出結果に基づいてズーム駆動部１２２ｄを制御するための第１の駆動制御部として機能する。
【００９０】
（本実施例によって得られる効果）
このような構成において、第１の状態である未接続状態ではファンクションリング１０４が絞り操作、ＩＳＯ感度調整、フォーカス速度以外にズーム速度も設定可能とする。このときファンクションリング１０４にズーム速度を設定すると、ファンクションリング１０４でズーム速度を変更し、ズームリング１０３でズーム操作が可能となる。よって、動画撮影をする場合、動く撮影対象に対してズーム速度を変えながらズーム操作が可能となり、撮影設定作業が簡素で済むため撮影チャンスを逃すことがない。言い換えれば、ズームリング１０３から少し手を動かすだけでファンクションリング１０４を用いてズーム速度の設定が可能となり、短時間でユーザーが求める所望の撮影条件を実現することができる。
【００９１】
第２の接続状態である当接状態のときはファンクションリング１０４とズームリング１０３にズーム可能範囲を割り当ててもよい。ズームリング１０３の操作による焦点距離を第１の範囲として設定し、ファンクションリング１０４の操作による焦点距離を第２の範囲として設定する。また、第１の範囲より第２の範囲を広くすることで、ファンクションリング１０４を操作してズーム操作する場合に、第１の範囲から第２の範囲に切り替わったことが操作しながら触感でわかる。これはズームリング１０３とファンクションリング１０４が弾性部１４２で当接しているため、広角メカ端１０２ａおよび望遠メカ端１０２ｂに到達した際からの摩擦力に打ち勝つファンクションリング１０４の操作力が変わるためである。焦点距離の範囲が触感で分かることで、撮影時の操作性が向上する。
【００９２】
なお、本実施例においては前述の図８に第２の機能として示した各機能に加えて、ズーム速度操作機能もファンクションリング１０４に割り当てることが可能である。ズーム速度操作はズームリング１０３の操作に応じたズーム駆動部１２２ｄの駆動速度を変更することで、ズームレンズ群１１５の移動スピードを変更する操作のことである。
【００９３】
〔変形例〕
以上、本発明の好ましい実施形態について説明したが、本発明はこれらの実施形態に限定されず、その要旨の範囲内で種々の変形及び変更が可能である。
【００９４】
例えば、上記の各実施例におけるレンズ装置１００は、ユーザーがスイッチ１３０を操作することで、ファンクションリング１０４とズームリング１０３との接続状態が未接続状態、当接状態、連結状態のいずれかになる構成を有している。そして、ユーザーによるスイッチ１３０の操作に連動して表示部２１３に表示される情報が自動的に変化するようになっている。つまり、上記の各実施例においては、接続変更部１４０によるズームリング１０３とファンクションリング１０４との接続状態の変更結果に基づいて第２の機能として選択可能な機能が制限される。
【００９５】
しかしながら、本発明は上記の構成に限定されるものではなく、上記の構成とは逆の構成をレンズ装置１００に適用してもよい。より詳細には、ユーザーによるファンクションリング１０４へ割り当てる機能の選択結果に基づいてファンクションリング１０４とズームリング１０３との接続状態が未接続状態、当接状態、連結状態のいずれかになる構成のレンズ装置１００であってもよい。
【００９６】
再び図８を用いて説明すると、ユーザーがファンクションリング１０４に絞り操作を割り当てる操作を行ったとする。カメラ本体２００は絞り操作が選択されたことを検出し、その旨をレンズ装置１００に送信する。レンズ装置１００はカメラ本体２００からの情報に基づいて絞り操作が選択されたことを把握し、そのときに未接続状態と異なる状態であった場合には未接続状態に自動的になる。
【００９７】
つまり、本変形例においては、レンズ装置１００は接続変更部１４０を制御するための接続制御部を備えている。この接続制御部は前述の各接続状態保持部１３０ａ、１３０ｂ、１３０ｃの位置を制御することで接続変更部１４０を制御する。図３に示したレンズＣＰＵ１２０がこの接続制御部として機能してもよい。そして、この接続制御部は、レンズＣＰＵ１２０を介してカメラＣＰＵ２１０から受け取った選択結果に基づいて接続変更部１４０を制御する。
【００９８】
このような構成を採用すれば、スイッチ１３０を設ける必要が無くなり、より簡易な構成のレンズ装置を実現することができる。また、ユーザーがスイッチ１３０を操作する必要がなくなるために、より短時間でユーザーが求める所望の撮影条件を実現することができる。
【符号の説明】
【００９９】
１００  レンズ装置
１０３  ズームリング（第１の操作部）
１０４  ファンクションリング（第２の操作部）
１４０  接続変更部
【図１】
2019105814.tif 000003
【図２】
2019105814.tif 000004
【図３】
2019105814.tif 000005
【図４】
2019105814.tif 000006
【図５】
2019105814.tif 000007
【図６】
2019105814.tif 000008
【図７】
2019105814.tif 000009
【図８】
2019105814.tif 000010
【図９】
2019105814.tif 000011
【図１０】
2019105814.tif 000012